(57)【要約】  本発明は、変形可能であると共にほぼ円柱状の、少なくとも１つの縦スリット（２）を有するハウジング（１）を備える締付け具またはパイプ留め具に関するものである。縦スリット（２）において互いに向かい合うハウジング（１）の領域は、曲がった継ぎ目板（３）として形成されている。継ぎ目板（３）は、中空軸（５、６）を支えるために機能している。上記ハウジングは、中空軸（５、６）を横に貫いて該ハウジングのほぼ接線に配置された締め付けボルト（８）と該ボルトに結合可能なナット（７）とによって、締結可能である。締め付けボルト（８）の少なくとも１つは、１つのハンドル（１０）に、直接的または間接的に結合されている。該ハンドルは、上記締付け具またはパイプ留め具を手動によりプレストレスする、および／または、締め付けボルト（８）を操作するものである。
2009516813.tif 000002
【特許請求の範囲】
【請求項１】
変形可能であると共にほぼ円柱状の、少なくとも１つの縦スリットを有するハウジングを備える締付け具またはパイプ留め具であって、
前記縦スリット（２）において互いに向かい合う前記ハウジングの領域は、曲がった継ぎ目板（３、１３、２９）として形成され、前記継ぎ目板（３、１３、２９）は、中空軸（５、６；１５、１６；２８）を支えるために形成され、前記締付け具またはパイプ留め具は、前記中空軸（５、６；１５、１６；２８）を貫通して該ハウジングのほぼ接線に配置された締め付けボルト（８、１８）と前記ボルトに結合可能なナット（７、１７、２５）とによって前記中空軸において締結可能である、締付け具またはパイプ留め具において、
前記締め付けボルト（８、１８）の少なくとも１つは、１つのハンドル（１０、２０）に直接的または間接的に結合されており、前記ハンドルは、前記締付け具またはパイプ留め具を手動によりプレストレスし、および／または、締め付けボルト（８、１８）を操作し、および／または、前記締付け具またはパイプ留め具を支えるものであると共に、前記ハンドル（１０、２０）は、前記締付け具またはパイプ留め具を締結した状態において、張力の影響を受けることなく、自由に回転可能な状態で搭載されていることを特徴とする、締付け具またはパイプ留め具。
【請求項２】
前記ハンドル（１０、２０）は、前記締め付けボルト（８、１８）の胴部上に配置された少なくとも１つのワッシャ（９、１９）を介して、間接的に、前記締め付けボルト（８、１８）に結合されていることを特徴とする、請求項１に記載の締付け具またはパイプ留め具。
【請求項３】
少なくとも２つの前記締め付けボルト（８、１８）が設けられており、これら両方の締め付けボルト（８、１８）は、前記ハンドル（１０、２０）に結合されていることを特徴とする、請求項１または請求項２に記載の締付け具またはパイプ留め具。
【請求項４】
前記ハンドル（１０、２０）は、好ましくは継ぎ手を介して、前記締め付けボルト（８、１８）に、または、前記締め付けボルト（８、１８）の胴部上に配置されたワッシャ（９、１９）に、回転可能な状態で結合されていることを特徴とする、請求項１から３のいずれか１項に記載の締付け具またはパイプ留め具。
【請求項５】
前記ハンドル（１０、２０）は、スナップイン可能、取り外し可能、および／または、係合可能に、前記締め付けボルト（８、１８）または前記ワッシャ（９、１９）に結合可能であるか、または、結合されており、好ましくはワイヤから形成されていることを特徴とする、請求項１から４のいずれか１項に記載の締付け具またはパイプ留め具。
【請求項６】
前記ハウジング（１１、１２）は、２つの部分から成り、互いにほぼ直径状に向かい合って配置された２つの縦スリットと２つの閉鎖具とを有し、少なくとも１つの閉鎖具の少なくとも１つの締め付けボルト（１８）は、１つのハンドル（２０）に結合されていることを特徴とする、請求項１から５のいずれか１項に記載の締付け具またはパイプ留め具。
【請求項７】
前記２つの閉鎖具のうちの少なくとも１つが、継ぎ手として形成されている、請求項６に記載の締付け具またはパイプ留め具。
【請求項８】
前記ナットは、前記中空軸のうちのいずれか１つの中に配置されて、空間的に固定されており、少なくとも前記ナットが中に配置されている中空軸は、その断面においてほぼＵ字型に形成されている、締付け具またはパイプ留め具において、
前記ナット（７、１７、２５）は、少なくとも１つの、好ましくは前記ナットの軸方向にほぼ横に伸びた浮き出し加工部（２３、２４）を介して、前記Ｕ字型に形成された中空軸（２１）の脚部間の、前記中空軸（２１）の被膜の厚みによって、特に回転に逆らって固定されていることを特徴とする、請求項１から７のいずれか１項に記載の締付け具またはパイプ留め具。
【請求項９】
前記ナット（２５）のスパナ掛けの各側面では、互いに向かい合って配置されている少なくとも２つの浮き出し加工部（２４）が設けられていることを特徴とする、請求項８に記載の締付け具またはパイプ留め具。
【請求項１０】
前記各側面のいずれの側面の場合にも、２つの浮き出し加工部（２４）が、ナット（２５）の上部領域に配置され、少なくとも１つの浮き出し加工部（２３）が前記ナットの下部領域に配置されていることを特徴とする、請求項９に記載の締付け具またはパイプ留め具。
【請求項１１】
前記ハウジング（１、１１、１２）の継ぎ目板（３、１３、２９）は、ハウジング（１、１１、１２）の内側に向かって曲がっていることを特徴とする、請求項１から１０のいずれか１項に記載の締付け具またはパイプ留め具。
【請求項１２】
前記継ぎ目板の曲がった「端部」は、一列に並んだ圧接／接合部（クリンチ）（４、１４）を介して、前記ハウジングの円周に結合されていることを特徴とする、請求項１１に記載の締付け具またはパイプ留め具。
【請求項１３】
前記中空軸（２８）は、前記中空軸の端部に導入可能なプラグ（２６）によって、前記継ぎ目板に向かって非意図的にねじまがることから、保護されていることを特徴とする、請求項１から１２のいずれか１項に記載の締付け具またはパイプ留め具。
【請求項１４】
前記プラグ（２６）は、継ぎ目板（２９）のスリット（３０）、および、中空軸（２８）の縦スリットにかみ合っている取っ手（２７）を有していることを特徴とする、請求項１３に記載の締付け具またはパイプ留め具。
【請求項１５】
前記プラグ（２６）は、プラスチックから形成されていると共に、好ましくは、情報を印刷するため、および／または、色を印刷するための面を有していることを特徴とする、請求項１から１４のいずれか１項に記載の締付け具またはパイプ留め具。
【発明の詳細な説明】
【技術分野】
【０００１】
本発明は、変形可能であると共にほぼ円柱状の、少なくとも１つの縦スリットを有するハウジングを備える締付け具またはパイプ留め具に関し、該縦スリットにおいて互いに向かい合う該ハウジングの領域は、曲がった継ぎ目板として形成されている。この場合、該継ぎ目板は、中空軸を支えるために形成されており、上記締付け具またはパイプ留め具は、該中空軸を横に貫いて該ハウジングのほぼ接線に配置された締め付けボルトと該ボルトに結合可能なナットとによって、該中空軸において締結可能である。
【背景技術】
【０００２】
締付け具またはパイプ留め具は、一方では、ぴったり閉まらなくなった複数の管を結合するか、または、これらを修理するために用いられ、他方では、建造物内または車両内における複数の配管を固定するために用いられる。前者の場合には、上記締付け具またはパイプ留め具は、この管の被膜面を押さえつけてつばの形に密封するため、または、該管の衝突部または漏れ箇所を密封するために用いられる。しかしながら、このような締付け具またはパイプ留め具を締結することは、極めて手間がかかり、例えばいわゆるコレットとして形成された特殊な工具または装置が必要である。特に、架橋するものの直径の差異がより大きいものを締結する場合には、従来の方法では、これに要する時間も極めて多くなり得る。
【０００３】
米国特許第２４０９５７６号明細書には、排出管システムのための配管クランプが開示されている。これは、締め付けボルトと、これによって回転可能な状態で結合された弓形のばね材を有している。該ばね材は、この閉鎖具の一部であり、温度の変動によるこの部品の膨張を補償するように機能している。上記配管クランプを締結するために、該ばね材は、該閉鎖具のフックに掛けられて、その後該締め付けボルトによって、ある所定の値までプレストレスされる。これによって、該ばね材は、持続的にプレストレスされた状態にあり、自由に動くことは不可能である。
【０００４】
仏国特許発明第２７４９９１７号明細書には、ナットによって締結可能な締め付けボルトを有する配管クランプが開示されている。該締め付けボルトの頭部では、偏心レバーが、回転可能な状態で該締め付けボルトに結合されている。該偏心レバーは、該配管クランプを素早く開閉するために用いられる。該配管クランプが締結された状態では、該偏心レバーは、その張力を伝動させ、所定の抵抗を排除することに対してのみ、緩んだ状態になることが可能である。
【０００５】
【特許文献１】米国特許第２４０９５７６号明細書
【特許文献２】仏国特許発明第２７４９９１７号明細書
【発明の開示】
【発明が解決しようとする課題】
【０００６】
本発明の目的は、追加的な工具を必要とせず、且つ、短時間で締結可能な、締付け具またはパイプ留め具を実現することにある。
【課題を解決するための手段】
【０００７】
我々は、この目的を、本発明に従って、上記締め付けボルトのうちの少なくとも１つを１つのハンドルに、直接的または間接的に結合させることによって実現する。該ハンドルは、上記締付け具またはパイプ留め具を手動によりプレストレスし、および／または、上記締め付けボルトを操作し、および／または、上記締付け具またはパイプ留め具を支えるものである。ここでは、該締付け具またはパイプ留め具が締結された状態において、該ハンドルは、張力の影響を受けることなく、自由に回転可能な状態で搭載されている。
【０００８】
従って、上記ハンドルは、上記特殊な工具の代わりとなり、この特殊な工具と比べて、極めて大きな利点を有する。該利点とは、該ハンドルが、常に利用可能であり、例えば上記締付け具またはパイプ留め具を取り外す際にも利用可能であるということである。該ハンドルは、その取り扱いおよび取り付けの際、つまり該締付け具またはパイプ留め具を配向する際、および、これを持ち運ぶ際にも、極めて有益である。
【０００９】
上記ハンドルは、上記締め付けボルトの胴部上に配置された少なくとも１つのワッシャを介して間接的に、該締め付けボルトに結合されていることが有効である。該ハンドルが該締め付けボルトにこのように結合されていることによって、これは、緩まった後、該ハンドルによって、中に旋回されるかまたは外に旋回されるか、若しくは、ロックされるかまたはロックを外されることが可能である。
【００１０】
少なくとも２つの締め付けボルトを設けることが好ましく、この場合、これら両方の締め付けボルトは、上記ハンドルに結合されている。従って、該ハンドルは、これら締め付けボルトの間に配置されており、これによって、力を対称的に分配することが可能になると共に、上記締付け具またはパイプ留め具を、その全長に亘って均一に締結することが可能になる。
【００１１】
上記ハンドルは、好ましくは継ぎ手を介して、回転可能な状態で、上記締め付けボルトに結合されていることが有効である。上記ハンドルが回転可能な状態で配置されていることによって、該ハンドルは、上記締付け具またはパイプ留め具を締結する場合に、この張力を供給するために最適な方向において、上記ハウジングにほぼ接線に配向されていることが好ましい。上記締付け具またはパイプ留め具を締結した後には、上記ハンドルが実質的には該ハウジングの円周からはみ出さないように、該ハンドルを折り畳むことが可能である。
【００１２】
上記ハンドルは、後方に向かってスナップイン可能、取り外し可能、および／または、係合可能に、上記締め付けボルトまたはワッシャに結合可能であるか、または、結合されていることが有効であり、好ましくはワイヤから形成されていることが有効である。従って、上記締付け具またはパイプ留め具を締結した後、上記ハンドルを、必要に応じて取り外すか、または、緩めるために再び取り付けてもよい。
【００１３】
上記ハウジングは、独立請求項に係る発明に従って、２つの部分から成ると共に、互いにほぼ直径状に向かい合って配置された２つの縦スリットと２つの閉鎖具とを有することが有効である。ここでは、少なくとも１つの閉鎖具の少なくとも１つの締め付けボルトは、１つのハンドルに結合されている。このような構成は、管の直径がより大きい場合に、特に有効である。２つの閉鎖具を割り当てることによって、より広大な締結領域が生じるか、または、この管の円周に亘ってより均一な力の配分が生じる。
【００１４】
より小さな締付け具またはパイプ留め具は、組立技術的な理由から、２つの部分から成ることが多い。この場合、これら両方の閉鎖具のうちの少なくとも１つが、継ぎ手として形成されていることが好ましい。しかしながら、このような閉鎖具は、同時に、継ぎ手機能と閉鎖機能とが１つになった機能を発揮することが可能である。
【００１５】
上記ナットは、上記中空軸のうちのいずれか１つの中に配置されて、空間的に固定されており、少なくとも該ナットが中に配置されている中空軸は、その断面において、ほぼＵ字型に形成されている。上記ナットは、一実施形態では、さらなる独立請求項に係る発明に従って、少なくとも１つの（好ましくは上記ナットの軸方向にほぼ横に伸びた）浮き出し加工部を介して、該Ｕ字型に形成された中空軸の脚部間の、上記中空軸の被膜の厚みによって、（特に回転に逆らって）固定されている。該浮き出し加工部によって、上記ナットと中空軸との間の形状が維持される。形状が維持されるとは、上記ナットが中空軸に対してずれたり、または、曲がったりすることを妨げるものである。
【００１６】
上記ナットのスパナ掛けの各側面では、互いに向かい合って配置されている少なくとも２つの浮き出し加工部が設けられていることが好ましい。これら浮き出し加工部は、一方では上記ナットが上記中空軸の軸方向にずれることを妨げ、他方では上記締め付けボルトを引っ張る際に、上記ナットが共に回転することを妨げる。
【００１７】
いずれの場合にも、２つの浮き出し加工部が、上記ナットの上部領域に配置され、少なくとも１つの浮き出し加工部が、上記ナットの下部領域に配置されていることが有効である。上記ナットの下側にある上記浮き出し加工部によって、上記締め付けボルトが緩められる場合に、軸方向につまり上記締め付けボルトの軸の方向に伸びる方向において、上記ナットが外れないように保護される。
【００１８】
他の一実施形態および独立請求項に係る発明では、上記ハウジングの継ぎ目板は、該ハウジングの内部に向かって曲がっていることが好ましい。これによって、該ハウジングの外側は、平らになり、特に、上記締付け具またはパイプ留め具の腐食耐性に好影響を与える。上記ハウジングの内側にある上記継ぎ目板の端部は、上記締付け具またはパイプ留め具を締結する際には、上記ハウジングの外側にある部分によって、放射状にこの管に押しつけられる。これによって、上記継ぎ目板の曲がった自由端と上記ハウジングの内側との間に、追加的なフリクションロックの結合部が生じ、該結合部によって、必要な結合部を用いる必要がなくなる。
【００１９】
上記継ぎ目板の曲がった端部は、一列に並んだ圧接／接合部（クリンチ）を介して、上記ハウジングの円周に結合されていることが有効である。このような圧接／接合部は、従来の溶接継手に比べて、特に腐食技術的な理由から有利である。なぜなら、温度が上昇せず、これに関連して継ぎ目の変動も生じないからである。
【００２０】
上記締付け具またはパイプ留め具を締結する際の上記中空軸が、所望の回転位置に配向された状態を維持するために、独立請求項に係る一発明に従って、上記中空軸は、その端部に導入可能なプラグによって、複数の継ぎ目板に向かって非意図的にねじまがることから、１つの継ぎ目板に関して保護されていることが有効である。このため、上記プラグは、上記継ぎ目板のスリット内および上記中空軸の縦スリット内においてかみ合っている取っ手を有していることが好ましい。これによって、上記継ぎ目板のスリットおよび上記中空軸の縦スリットは、永続的に重なり合って配向された状態を維持する。これは、たとえ上記締め付けボルトが用いられない場合であっても有効である。
【００２１】
上記プラグは、プラスチックから形成されていることが有効であり、情報を印刷するため、および／または、色を印刷するための面を有していることが好ましい。該プラスチックのプラグに応じた彩色法によって、上記締付け具またはパイプ留め具の製造業者の特徴を示す企業色（例えば赤または青）、または、上記締付け具またはパイプ留め具に提供された用法（例えばガス配管は黄色）を、視覚的に示唆することが可能である。
【発明を実施するための最良の形態】
【００２２】
本発明を、例を挙げて図示した図面を参照しながら、以下により詳細に説明する。
【００２３】
図１に明示した締付け具またはパイプ留め具は、実質的には、１つの縦スリット２を有する１つの部分より成るハウジング１から構成されている。ハウジング１の端部は、内側に向かって曲がった継ぎ目板３として形成されている。継ぎ目板３の自由端は、圧接／接合部４によって、ハウジング１の円周に結合されている。この圧接／接合部４は、専門用語では、「クリンチ」とも呼ばれる。継ぎ目板３の中には、中空軸５、６が導入されている。中空軸５は円柱状であり、中空軸６は、その断面においてＣ字型に形成されている。ナット７は、中空軸６の中に導入されて、中空軸６に形状持続的に結合されている。中空軸５、６は、締め付けボルト８によって貫通されている。締め付けボルト８の頭部と中空軸５との間には、ワッシャ９が配置されている。ワッシャ９は、ばねのついた平金具を有しており、該平金具は、弓形のハンドル１０と共に継ぎ手を形成している。従って、ハンドル１０は、回転可能な状態で、締め付けボルト８に結合されており、必要に応じて、外側へ折り畳み可能であるか、または、内側に旋回可能である。上記締付け具またはパイプ留め具を締結する場合に、２つの中空軸５、６を近づけながら、ハンドル１０を用いて、ハウジング１を引っ張ることが可能であり、その結果、締め付けボルト８を中空軸５に引っ掛けることが出来る。
【００２４】
図３および図４に明示した実施形態は、図１および図２に示した実施形態とは、図３および図４による実施形態が、２つの同一のハウジング１１、１２から成る点において異なっている。これらハウジング１１、１２は、どちらも、内側に向かって曲がった継ぎ目板１３を有している。継ぎ目板１３の自由端は、どちらも、圧接／接合部１４によって、ハウジング１１、１２の円周に結合されている。継ぎ目板１３の中には、中空軸１５、１６が導入されている。中空軸１５は円柱形であり、中空軸１６は、その断面において、Ｃ字型に形成されている。中空軸１６の中には、ナット１７が導入されている。これら両方の中空軸１５、１６は、締め付けボルト１８によって貫通されている。締め付けボルト１８の頭部と中空軸１５との間には、ワッシャ１９が配置されている。ハンドル２０は、図１および図２に示した実施形態の場合と同じ様に、回転可能な状態で、ワッシャ１９に結合されている。ハンドル２０は、上記締付け具またはパイプ留め具を締結する場合の補助手段としても機能する。
【００２５】
図５および図６では、中空軸２１を拡大した尺度に示している。該中空軸は、中間領域において、平面２２を有し、この領域には、側面に、浮き出し加工部２３、２４が設けられている。浮き出し加工部２３、２４は、中空軸２１の中に導入されて、平面２２の内側において支えられているナット２５を固定するために機能している。従って、ナット２５は、形状持続的に中空軸２１に結合されている。上記締付け具またはパイプ留め具の幅が所望の値になるに応じて、または、上記中空軸の長さが所望の値になるに応じて、中空軸２１は、１つまたはそれ以上の平面を有することが可能であるか、または、１つまたはそれ以上の締め付けボルトによって貫通されることが可能である。
【００２６】
上記締付け具またはパイプ留め具を開いた状態において、上記中空軸の望まない旋回を不可能にするために、図７に明示した、前面において中空軸２８の中に挿入されているプラグ２６を用いている。プラグ２６は、その直径が短くなった部分に、取っ手２７を有する。取っ手２７は、中空軸２８および継ぎ目板２９において、保護のために設けられたスリット３０にかみ合っており、取っ手２７は、これによって、中空軸２８と継ぎ目板２９との間に、回転保護手段を形成している。
【図面の簡単な説明】
【００２７】
【図１】本発明に係る１つの部分より成る締付け具またはパイプ留め具を示す正面図である。
【図２】２つの締め付けボルトおよび折り畳んで格納されたハンドルを有する、図１に示した締付け具またはパイプ留め具を示す平面図である。
【図３】本発明に係る２つの部分より成る締付け具またはパイプ留め具を示す正面図である。
【図４】３つの締め付けボルトおよび折り畳んで格納されたハンドルを有する、図３に示した締付け具またはパイプ留め具を示す平面図である。
【図５】本発明に係る中空軸を長手方向に見たである。
【図６】図５に示した中空軸を線ＶＩ−ＶＩに沿って切断した断面図である。
【図７】上記中空軸を回転ロックするためのプラグを示す図である。
【符号の説明】
【００２８】
１  ハウジング、２  縦スリット、３  継ぎ目板、４  圧接／接合部、５  中空軸、６  中空軸、７  ナット、８  締め付けボルト、９  ワッシャ、１０  ハンドル、１１  ハウジング、１２  ハウジング、１３  継ぎ目板、１４  圧接／接合部、１５  中空軸、１６  中空軸、１７  ナット、１８  締め付けボルト、１９  ワッシャ、２０  ハンドル、２１  中空軸、２２  平面、２３  浮き出し加工部、２４  浮き出し加工部、２５  ナット、２６  プラグ、２７  取っ手、２８  中空軸、２９  継ぎ目板、３０  スリット。
【図１】
2009516813.tif 000003
【図２】
2009516813.tif 000004
【図３】
2009516813.tif 000005
【図４】
2009516813.tif 000006
【図５】
2009516813.tif 000007
【図６】
2009516813.tif 000008
【図７】
2009516813.tif 000009
【国際調査報告】
2009516813.tif 000010
2009516813.tif 000011
2009516813.tif 000012
2009516813.tif 000013
2009516813.tif 000014
2009516813.tif 000015